(57)【要約】【課題】薄型化された表示装置の破損を抑制することを課題とする。【解決手段】情報処理装置は、第１の領域と、前記第１の領域と連続し、前記第１の領域よりも強度が低い第２の領域を備える表示装置と、前記表示装置の側方に配置されたリブを備えたリアカバーと、を、備え、前記リブは、前記第１の領域と重なる位置から前記第２の領域と重なる位置に亘って延設されている。前記リブは、前記表示装置に当接する弾性部材を備えている。【選択図】図６
2018109914.tif 000002
【特許請求の範囲】
【請求項１】
第１の領域と、前記第１の領域と連続し、前記第１の領域よりも強度が低い第２の領域を備える表示装置と、
前記表示装置の側方に配置されたリブを備えたリアカバーと、を、備え、
前記リブは、前記第１の領域と重なる位置から前記第２の領域と重なる位置に亘って延設された情報処理装置。
【請求項２】
前記リブは、前記表示装置に当接する弾性部材を備えた請求項１に記載の情報処理装置。
【発明の詳細な説明】
【技術分野】
【０００１】
本明細書開示の発明は、情報処理装置に関する。
【背景技術】
【０００２】
従来、例えば、パーソナルコンピュータ（ＰＣ）等の情報処理装置は、リアカバー内に表示装置を収納しており、この表示装置へ伝わる衝撃を緩和する提案も行われている（例えば、特許文献１）。
【先行技術文献】
【特許文献】
【０００３】
【特許文献１】特開２００７−３４９３９号公報
【発明の概要】
【発明が解決しようとする課題】
【０００４】
ところで、昨今、情報処理装置の軽量化、薄型化が図られており、これに伴って、情報処理装置に装備される表示装置の薄型化も推し進められている。薄型化された表示装置、特に液晶を用いた表示装置では、複数枚のガラスが重ねられた領域と、ＩＣ（Integrated Circuit）チップ等を搭載する領域とに区分けされていることがある。ＩＣチップ等が搭載されている領域の強度は、複数枚のガラスが重ねられている領域と比較して強度が低く、表示装置は、これらの領域の境目部分で、破損しやすい。
【０００５】
特許文献１は、表示装置へ伝わる衝撃の緩和を目的としているが、強度が異なる領域の境界部分で破損しやすい昨今の薄型化された表示装置の破損を抑制するという観点からは、改善の余地があった。
【０００６】
１つの側面では、本明細書開示の情報処理装置は、薄型化された表示装置の破損を抑制することを課題とする。
【課題を解決するための手段】
【０００７】
本明細書開示の情報処理装置は、第１の領域と、前記第１の領域と連続し、前記第１の領域よりも強度が低い第２の領域を備える表示装置と、前記表示装置の側方に配置されたリブを備えたリアカバーと、を、備え、前記リブは、前記第１の領域と重なる位置から前記第２の領域と重なる位置に亘って延設されている。
【発明の効果】
【０００８】
本明細書開示の情報処理装置によれば、薄型化された表示装置の破損を抑制することができる。
【図面の簡単な説明】
【０００９】
【図１】図１は実施形態の情報処理装置の斜視図である。
【図２】図２は実施形態の情報処理装置が備える表示部の斜視図である。
【図３】図３は実施形態の情報処理装置が備える表示部の分解斜視図である。
【図４】図４は実施形態の情報処理装置が備えるリアカバー内の一部を拡大して示す説明図である。
【図５】図５は実施形態の情報処理装置が備えるリアカバー内の一部を拡大して示す説明図である。
【図６】図６（Ａ）は実施形態の情報処理装置が備えるリブの配置を模式的に示す説明図であり、図６（Ｂ）は比較例のリブの配置を模式的に示す説明図である。
【図７】図７は弾性部材を装着したリブを示す説明図である。
【図８】図８はリブ及び弾性部材を通過する断面を示す説明図である。
【図９】図９は実施形態の情報処理装置が備える表示部が反る様子を示す説明図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１１】
（実施形態）
図１〜図９を参照して、実施形態の情報処理装置１について説明する。図１は実施形態の情報処理装置の斜視図である。図２は実施形態の情報処理装置が備える表示部の斜視図である。図３は実施形態の情報処理装置が備える表示部の分解斜視図である。図４は実施形態の情報処理装置が備えるリアカバー内の一部を拡大して示す説明図である。図５は実施形態の情報処理装置が備えるリアカバー内の一部を拡大して示す説明図である。図６（Ａ）は実施形態の情報処理装置が備えるリブの配置を模式的に示す説明図であり、図６（Ｂ）は比較例のリブの配置を模式的に示す説明図である。図７は弾性部材を装着したリブを示す説明図である。図８はリブ及び弾性部材を通過する断面を示す説明図である。図９は実施形態の情報処理装置が備える表示部が反る様子を示す説明図である。なお、以下の説明では、リアカバー５及び液晶ディスプレイ７の上下方向及び左右方向は、図４や図５等に示すように設定されるものとする。
【００１２】
本実施形態における情報処理装置１は、いわゆるノートＰＣであり、表示部２と本体部３とを備えている。表示部２と本体部３とは、ヒンジ部４を介して相互に開閉可能に接続されている。ヒンジ部４は、ヒンジカバー４ａを含んでいる。
【００１３】
表示部２は、リアカバー５内に収納された液晶ディスプレイ７を備える。表示部２の薄型化を達成すべく、液晶ディスプレイ７も薄型化が図られている。液晶ディスプレイ７は、表示装置の一例である。リアカバー５内に収納された液晶ディスプレイ７の前面側には、枠状のフロントカバー６が装着される。フロントカバー６は、固定爪を備え、この固定爪をリアカバー５に設けられた掛止部に掛止することで、リアカバー５に装着される。フロントカバー６がリアカバー５に組み付けられると、液晶ディスプレイ７がリアカバー５内で固定された状態となる。リアカバー５は、マグネシウム合金製であるが、樹脂製としてもよい。
【００１４】
液晶ディスプレイ７は、図４乃至図６（Ａ）に示されているように、第１の領域７ａと、この第１の領域７ａと連続し、第１の領域７ａよりも強度が低い第２の領域７ｂを備える。第２の領域７ｂは、第１の領域７ａの下方に向かって延設されている。第１の領域７ａは、画像を表示する部分であり、２枚のガラスが重ね合わされている。一方、第２の領域７ｂは、ガラスが１枚であり、ＩＣチップ等が搭載されている。第２の領域７ｂは、第１の領域７ａと異なり、ガラスが積層されていないことから、２枚のガラスが積層されている第１の領域と比較して強度が低い。このため、リアカバー５内に収納されていない単体の液晶ディスプレイ７が外力を受け、例えば、反るように変形した場合、液晶ディスプレイ７は、図６（Ａ）に示す第１の領域７ａと第２の領域７ｂとの境界線Ｌ１の近傍で破損しやすい。
【００１５】
そこで、本実施形態の情報処理装置１は、リアカバー５に第１リブ１０を備えている。第１リブ１０は、図４及び図５に示すように、液晶ディスプレイ７の左右両側に設けられている。第１リブ１０は、それぞれ、液晶ディスプレイ７の上下方向に沿って延びている。液晶ディスプレイ７がリアカバー５内に収納されたときに、液晶ディスプレイ７の側方に配置される第１リブ１０は、図６（Ａ）に示すように、第１の領域７ａと重なる位置から第２の領域と重なる位置に亘って延設されている。すなわち、第１リブ１０は、第１の領域７ａと第２の領域７ｂとの境界線Ｌ１を延長した線分と交差するように設けられている。さらに換言すれば、第１リブは、境界線Ｌ１を跨いで設けられている。本実施形態の第１リブ１０は、平面視において、ほぼ一定の幅を有しているが、第１の領域７ａ及び第２の領域７ｂに対する位置関係の要件を満たしていれば、その形状は、限定されない。
【００１６】
第１リブ１０を備えることで、液晶ディスプレイ７を収納した状態の表示部２が、例えば、図９の矢示２０で示すように、撓むような状態とされたときであっても、境界線Ｌ１の近傍に分布する力の多くは、第１リブ１０に作用することになる。この結果、液晶ディスプレイ７には、大きな力が作用し難くなる。これにより、液晶ディスプレイ７の破損が抑制される。
【００１７】
図６（Ｂ）は、比較例のリブ１０１及び１０２を示している。比較例が備えるリブ１０１、１０２は、第１の領域７ａと第２の領域７ｂとの境界線Ｌ１が通過する位置で分断されている。このため、境界線Ｌ１の近傍に分布する力が、液晶ディスプレイ７に作用しやすい状態となっている。
【００１８】
本実施形態の情報処理装置１は、リアカバー５に第２リブ１１を備える。第２リブ１１は、図４及び図５に示すように、液晶ディスプレイ７の下側において、左右両側に設けられている。第２リブ１１は、それぞれ、液晶ディスプレイ７の左右方向に沿って延びている。本実施形態の第２リブ１１は、第１リブ１０と分割した状態で設けられているが、液晶ディスプレイ７の角部の形状に対応するように、角部を経て、第２リブ１１が第１リブ１０と連続するように設けてもよい。
【００１９】
第１リブ１０は、液晶ディスプレイ７の位置決めをする機能を有する。第２リブ１１も同様である。図７、図８を参照すると、本実施形態の第１リブ１０には、ホールドゴム１５が装着されている。第２リブ１１にも同様に、ホールドゴム１６が装着されている。ホールドゴム１５は、液晶ディスプレイ７に当接する弾性部材の一例である。ホールドゴム１５及びホールドゴム１６は、リアカバー５に収納された液晶ディスプレイ７に当接することで、液晶ディスプレイ７の位置決めの精度を向上させ、液晶ディスプレイ７に加わる衝撃を軽減する。なお、図４や図５では、ホールドゴム１５、１６を取り外した状態が描かれている。
【００２０】
図７を参照すると、ホールドゴム１６は、液晶ディスプレイ７側に向かって突出している突出部１６ａが設けられており、この突出部１６ａが液晶ディスプレイ７に当接することで、位置決めの精度を向上させ、また、弾性力を発揮することで、衝撃を吸収する機能も向上している。また、図８を参照すると、ホールドゴム１５は、液晶ディスプレイ７とリアカバー５にとの間に延びており、液晶ディスプレイ７は、ホールドゴム１５上に搭載された状態となっている。これにより、液晶ディスプレイ７に加わる衝撃を緩和することができる。
【００２１】
なお、本実施形態における第１リブ１０は、液晶ディスプレイ７の位置決めをする機能も備えているが、必ずしも液晶ディスプレイ７の位置決めをしなければならないものではない。すなわち、第１リブ１０は、第１の領域７ａと重なる位置から第２の領域と重なる位置に亘って延設され、液晶ディスプレイ７の破損を抑制できるように設けられていればよい。
【００２２】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００２３】
１  情報処理装置
２  表示部
３  本体部
４  ヒンジ部
４ａ  ヒンジカバー
５  リアカバー
６  フロントカバー
７  液晶ディスプレイ
７ａ  第１の領域
７ｂ  第２の領域
１０  第１リブ
１１  第２リブ
１５、１６  ホールドゴム
【図１】
2018109914.tif 000003
【図２】
2018109914.tif 000004
【図３】
2018109914.tif 000005
【図４】
2018109914.tif 000006
【図５】
2018109914.tif 000007
【図６】
2018109914.tif 000008
【図７】
2018109914.tif 000009
【図８】
2018109914.tif 000010
【図９】
2018109914.tif 000011